(57)【特許請求の範囲】
【請求項１】
ビルに設置される空気調和装置、可変風量装置など空調機器をＬｏｎＷｏｒｋｓを用いて分散制御する空調機器運転システムでのネットワーク変数のバインド方法において、空調機器相互のネットワーク変数のバインドを、ポインティングデバイスを操作して設定するグラフィックベースのマンマシンインターフェイスを介して行なうときに、前記グラフィックベースのマンマシンインターフェイスを備えた情報端末に、テキストベースのデータをグラフィックベースのマンマシンインターフェイスに対応したデータに変換するソフトウエアを保持させておき、送信元機器のプログラムＩＤ、送信元機器のロケーション、送信先機器のプログラムＩＤ、送信先機器のロケーション、及び通信対象である送信元機器から送信先機器へのネットワーク変数よりなるレコードを、テキストベースのネットワーク変数レコードとして作成した後、作成したテキストベースのネットワーク変数レコードに機器間のネットワーク変数の通信形態に関する符号を付加することで、テキストベースのバインド設定ファイルとして作成し、しかる後、前記テキストベースのデータをグラフィックベースのマンマシンインターフェイスに対応したデータに変換するソフトウエアを用いて、前記テキストベースのバインド設定ファイルのデータを前記グラフィックベースのマンマシンインターフェイスへ一括的に入力することを特徴とするネットワーク変数のバインド方法。
【請求項２】
作成したテキストベースのネットワーク変数レコードに付加する符号で表現する機器間のネットワーク変数の通信形態を、イベントドリブン、バインド解消、ポーリングの間隔、ＡＣＫ応答の有無、機器間の優先とした、請求項１に記載のネットワーク変数のバインド方法。
【請求項３】
グラフィックベースのマンマシンインターフェイスを保持させた情報端末を上位ネットワーク回線に接続し、空調機器及びゲートウエイにＬｏｎＷｏｒｋｓ回線を介して通信形態を設定する請求項１または請求項２のいずれかに記載のネットワーク変数のバインド方法。
【発明の詳細な説明】
【０００１】
【発明の属する技術分野】
本発明はネットワーク変数のバインド方法に関するものである。
【０００２】
【従来の技術】
近年、ＬＯＮ（Local Operation Network）技術を応用したＬｏｎＷｏｒｋｓ（米国エシェロン社／Echelon Corporationの登録商標）によって、ビルに設置される空気調和装置、可変風量装置などを分散制御することが検討されている。
【０００３】
図２はＬｏｎＷｏｒｋｓを用いた空調機器運転システムの一例を示すもので、この空調機器運転システムでは、ＡＨＵ（Air Handling Unit：空気調和装置）
１、並びにＡＨＵ１から送出される冷風または温風の量を調整するためのＶＡＶ（Variable Air Volume：可変風量装置）２などを、たとえば、ビル各階ごとに、ＬｏｎＷｏｒｋｓ回線（下位ネットワーク回線）３に接続し、ＡＨＵ１、ＶＡＶ２に、ニューロンチップ（Neuron Chip）という通信機能を有するＬＳＩを組み込んでいる。
【０００４】
更に、空調機器運転システムの中央監視装置４が接続された上位ネットワーク回線５とＬｏｎＷｏｒｋｓ回線３との間に、ゲートウエイ６を設けている。
【０００５】
ゲートウエイ６には、ＡＨＵ１、ＶＡＶ２を制御するためのアプリケーションソフトウエア７、並びに上位ネットワークの通信プロトコルをＬｏｎＷｏｒｋｓの通信プロトコルに変換し且つＬｏｎＷｏｒｋｓの通信プロトコルを上位ネットワークの通信プロトコルに変換したうえ、ニューロンチップを介してＡＨＵ１、ＶＡＶ２と通信をするためのアプリケーションソフトウエア８が保持されている。
【０００６】
これにより、中央監視装置４に設定されたＡＨＵ１、ＶＡＶ２の運転時間帯や目標室温のデータに基づく指令が、上位ネットワーク回線５、ゲートウエイ６、及びＬｏｎＷｏｒｋｓ回線３からＡＨＵ１、ＶＡＶ２に送信され、また、ＡＨＵ１、ＶＡＶ２に付帯のセンサなどにより得た情報が、ＬｏｎＷｏｒｋｓ回線３、ゲートウエイ６、及び上位ネットワーク回線５から中央監視装置４に送信され、ＡＨＵ１、ＶＡＶ２の自動運転が行なわれる。
【０００７】
ゲートウエイ６とＡＨＵ１、ＶＡＶ２との相互通信には、ＳＮＶＴ（Standard Network Value type：標準ネットワーク変数タイプ）が採用されており、このＳＮＶＴの規約では、通信対象となる指令や情報のそれぞれにネットワーク変数を定めている。
【０００８】
ＡＨＵ１、ＶＡＶ２、及びゲートウエイ６の各機器には、監視の基準となる、機器の起動、停止、温度、風量などの検出や、指令に関するネットワーク変数が割り当てられており、空調機器運転システムの新設時には、個々の機器のネットワーク変数を、制御または監視の対象になる他の機器に関連付けて送り先を設定するバインドを行なっている。
【０００９】
ネットワーク変数のバインドにあたっては、グラフィックベースのバインド用のアプリケーションソフトウエア９を保持させた情報端末（マンマシンインターフェイス／パーソナルコンピュータ）１０を、前記の上位ネットワーク回線５に接続したうえ、技術者が、情報端末１０のディスプレイに表示される機器、及びネットワーク変数の模式図を目視しながら、ポインティングデバイス（マウス）１１を手動操作して、ＡＨＵ１、ＶＡＶ２、ゲートウエイ６のニューロンチップに、ネットワーク変数の送信先、及び通信形態（イベントドリブン／ポーリング、ＡＣＫ応答／非ＡＣＫ応答、優先／非優先）を設定する作業を、ネットワーク変数ごとに順次行なう。
【００１０】
【発明が解決しようとする課題】
しかしながら、従来のバインド方法では、各ネットワーク変数ごとに、マウスなどのポインティングデバイス１１を操作するので、全てのネットワーク変数のバインドが完了するまでの作業時間が長く、また、ネットワーク変数の送信先を情報端末１０のディスプレイで目視確認するため、誤設定が生じやすい。
【００１１】
本発明は上述した実情に鑑みてなしたもので、作業時間を短縮でき且つ誤設定を回避可能なネットワーク変数のバインド方法を提供することを目的としている。
【００１２】
【課題を解決するための手段】
上記目的を達成するために、本発明のネットワーク変数のバインド方法では、ビルに設置される空気調和装置、可変風量装置など空調機器をＬｏｎＷｏｒｋｓを用いて分散制御する空調機器運転システムでのネットワーク変数のバインド方法において、空調機器相互のネットワーク変数のバインドを、ポインティングデバイスを操作して設定するグラフィックベースのマンマシンインターフェイスを介して行なうときに、前記グラフィックベースのマンマシンインターフェイスを備えた情報端末は、テキストベースのデータをグラフィックベースのマンマシンインターフェイスに対応したデータに変換するソフトウエアを備えており、送信元機器のプログラムＩＤ、送信元機器のロケーション、送信先機器のプログラムＩＤ、送信先機器のロケーション、及び通信対象である送信元機器から送信先機器へのネットワーク変数よりなるレコードを、テキストベースのネットワーク変数レコードとして作成した後、作成したテキストベースのネットワーク変数レコードに機器間のネットワーク変数の通信形態に関する符号を付加することで、テキストベースのバインド設定ファイルとして作成し、しかる後、前記テキストベースのデータをグラフィックベースのマンマシンインターフェイスに対応したデータに変換するソフトウエアを用いて、前記テキストベースのバインド設定ファイルのデータを前記グラフィックベースのマンマシンインターフェイスへ一括的に入力する。
また、作成したテキストベースのネットワーク変数レコードに付加する符号で表現する機器間のネットワーク変数の通信形態を、イベントドリブン、バインド解消、ポーリングの間隔、ＡＣＫ応答の有無、機器間の優先とする。
更に、グラフィックベースのマンマシンインターフェイスを保持させた情報端末を上位ネットワーク回線に接続し、空調機器及びゲートウエイにＬｏｎＷｏｒｋｓ回線を介して通信形態を設定する。
【００１３】
本発明のネットワーク変数のバインド方法においては、変換用のソフトウエアによりグラフィックベースのマンマシンインターフェイスに対応したデータに変換したバインド設定ファイルのデータを、マンマシンインターフェイスへ一括的に入力して、バインドの省力化を図る。
【００１４】
【発明の実施の形態】
以下、本発明の実施の形態を、図示例とともに説明する。
【００１５】
図１は本発明のネットワーク変数のバインド方法の実施の形態の一例であり、図中、図２と同一の符号を付した部分は同一物を表わしている。
【００１６】
空調機器運転システムを新設する際には、設計時に作成したネットワーク変数一覧表（ＡＨＵ１、ＶＡＶ２、並びにゲートウエイ６の各機器に割り当てられているネットワーク変数を、制御あるいは監視の対象となる他の機器のどれに関連付けるのかについての一覧表）に基づいて、送信元機器のプログラムＩＤ（機器種類を表わす符号）、送信元機器のロケーション（同一種類の機器の個体識別用の符号）、送信先機器のプログラムＩＤ、送信先機器のロケーション、及び送信元機器から送信先機器へバインドすべきネットワーク変数の各データのレコードを、テキストベースのバインド設定ファイル１２として作成する。
【００１７】
すなわち、送信元のＶＡＶ２のプログラムＩＤが00DVAV、そのロケーションが11、送信先のゲートウエイ６のプログラムＩＤが22IG、そのロケーションが33、バインドすべきネットワーク変数がnvoZZZであると、バインド設定ファイル１２を作成した時点でのレコードは下記のように表示される。
【００１８】
00DVAV,11,22IG,33,nvoZZZ
【００１９】
次いで、予め定めた送信元機器から送信先機器へのネットワーク変数通信形態についての符号（Ｂ：イベントドリブン、Ｃ：バインド解消、数字：ポーリングの間隔、Ａ：ＡＣＫ応答、Ｕ：非ＡＣＫ応答、Ｐ：優先、Ｎ：非優先）を、前記のバインド設定ファイル１２の各レコードの末尾に付加する。
【００２０】
たとえば、前述した所定のＶＡＶ２からゲートウエイ６へのネットワーク変数nvoZZZの通信形態が、イベントドリブン、ＡＣＫ応答、非優先であると、符号を付加した後のレコードは、下記のように表示される。
【００２１】
00DVAV,11,22IG,33,nvoZZZ,B,A,N
【００２２】
あるいは、ネットワーク変数nvoZZZの通信形態が、４０秒間隔のポーリング、非ＡＣＫ応答、非優先であると、符号を付加した後のレコードは、下記のように表示される。
【００２３】
00DVAV,11,22IG,33,nvoZZZ,40,U,N
【００２４】
レコードに通信形態についての符号を付加した後、テキストベースのデータをグラフィックベースのマンマシンインターフェイスに対応したデータに変換するためのアプリケーションソフトウエア１３と、先述のグラフィックベースのバインド用のアプリケーションソフトウエア９を保持させた情報端末（マンマシンインターフェイス／パーソナルコンピュータ）１４を上位ネットワーク回線５に接続したうえ、情報端末１４に対してバインド設定ファイル１２のデータを、磁気媒体などを用いて一括的に入力する。
【００２５】
これにより、バインド設定ファイル１２のデータが、アプリケーションソフトウエア１３によってグラフィックベースのマンマシンインターフェイスに対応したデータに変換され、アプリケーションソフトウエア８、ＬｏｎＷｏｒｋｓ回線３を介して、ＡＨＵ１、ＶＡＶ２、及びゲートウエイ６の各ニューロンチップに、ネットワーク変数の送信先と通信形態が設定される。
【００２６】
すなわち、上述したバインド方法においては、アプリケーションソフトウエア１３によりグラフィックベースのマンマシンインターフェイスに対応したデータに変換されたバインド設定ファイル１２のデータを、情報端末１４へ一括的に入力するので、従来のように、ネットワーク変数ごとにポインティングデバイス１１を操作する必要がなくなり、作業時間を短縮でき且つ誤設定を回避できる。
【００２７】
また特に、ゲートウエイ６に対するＡＨＵ１、ＶＡＶ２のネットワーク構成が複数階で共通するビルでは、単一のバインド設定ファイル１２を繰り返して使用すれば、ネットワーク変数の送信先の設定に要する労力を大幅に軽減することができる。
【００２８】
なお、本発明のネットワーク変数のバインド方法は、上述した実施の形態のみに限定されるものではなく、本発明の要旨を逸脱しない範囲において変更を加え得ることは勿論である。
【００２９】
【発明の効果】
以上述べたように、本発明のネットワーク変数のバインド方法によれば、下記のような種々の優れた効果を奏し得る。
【００３０】
（１）ネットワーク変数の送信元と送信先、及び通信形態のデータをまとめたバインド設定ファイルを作成し、変換用のソフトウエアによりグラフィックベースのマンマシンインターフェイスに対応したデータに変換したバインド設定ファイルのデータを、マンマシンインターフェイスへ一括的に入力するので、作業時間の短縮と誤設定の回避を図ることができる。
【００３１】
（２）バインド設定ファイルを繰り返して使用できるので、ネットワーク構成が複数階で共通するビルでは、ネットワーク変数の送信先の設定に要する労力を大幅に軽減することができる。
【図面の簡単な説明】
【図１】本発明のネットワーク変数のバインド方法の実施の形態の一例を示す概念図である。
【図２】従来のネットワーク変数のバインド方法の一例を示す概念図である。
【符号の説明】
１    ＡＨＵ（機器）
２    ＶＡＶ（機器）
６    ゲートウエイ（機器）
１２  バインド設定ファイル
１３  アプリケーションソフトウエア
１４  情報端末（マンマシンインターフェイス）
【図１】
0004009075.tif 000002
【図２】
0004009075.tif 000003